【手続補正書】
【提出日】平成31年1月31日(2019.1.31)
【手続補正１】
【補正対象書類名】特許請求の範囲
【補正対象項目名】全文
【補正方法】変更
【補正の内容】
【特許請求の範囲】
【請求項１】
第１の要素（１２０）と第２の要素（１４０）とを解放可能に連結する機械磁気コネクタ構造（１００）であって、
長さと、幅と、外面とを有する略円筒状の第１のモジュール（１１０）であって、前記第１のモジュールの下端と上端との間の前記長さにほぼ沿って延び、前記第１の要素（１２０）に装着され、前記第１の要素（１２０）が前記第１のモジュール（１１０）への荷重を表し、前記第１のモジュール（１１０）の前記幅と前記外面が、前記第１のモジュール（１１０）の前記下端と前記第１の要素（１２０）に装着される前記上端との間で一定である第１のモジュール（１１０）と、
前記第２の要素（１４０）に固定的に装着される略円筒状の第２のモジュール（１３０）であって、前記第２のモジュール（１３０）がレシーバ体をさらに備え、前記レシーバ体が前記レシーバ体と垂直な面に固定され又は一体化され、前記面が前記解放可能な第１の要素（１２０）を前記固定される第２の要素（１４０）に対して脱着させる前記コネクタ構造（１００）用の固定点として機能し、前記レシーバ体が長さと、幅と、細長内側穴（１３１）とを有し、前記穴が長さと、幅と、内壁面（１３２）とを有し、前記穴（１３１）の長さが前記レシーバ体の内後面を終端とし、前記穴（１３１）が前記第１のモジュール（１１０）を収容するように適合されて、前記第１のモジュール（１１０）の前記外面（１１２）の略全長が前記穴（１３１）内の前記内壁面（１３２）の略全長と接触することで、前記２つの面（１１２、１３２）間で実質的な摩擦が生成され、前記接触面間の摩擦が前記第１のモジュール（１１０）上の前記荷重された第１の要素（１２０）によって生成され、前記第１のモジュール（１１０）の前記外面（１１２）の略全長が前記穴（１３１）内にあるとき、斜め又は垂直の引張力が前記第１のモジュール（１１０）又は前記第１のモジュールに装着された前記第１の要素（１２０）に加えられると、接触面間の追加の摩擦が生成される、第２のモジュール（１３０）と、
を備え、
前記第１のモジュール（１１０）が前記第１のモジュール（１１０）の下面と同一平面に露出される第１の磁石（１１５）を含み、前記第２のモジュール（１３０）が前記レシーバの前記内後面の前記穴（１３１）内に第２の磁石（１３５）を含み、
前記第１のモジュール（１１０）の前記外面（１１２）の略全長が前記穴（１３１）に磁気吸引されると、前記第１および第２の磁石（１１５、１３５）が磁気吸引により相互に近接して対向させられ、
前記間隔を置いて対向する磁石（１１５、１３５）間の磁気吸引と、前記第１の要素（１２０）によって前記第１のモジュール（１１０）に加えられる荷重により、前記レシーバ体内で前記穴（１３１）の前記内壁面（１３２）の略全長と前記第１のモジュール（１１０）の前記外面（１１２）の略全長との間で生成される摩擦と、前記第１のモジュール（１１０）が前記第２のモジュール（１３０）の前記穴（１３１）内にあるとき、斜めの又は垂直の引張力が前記第１のモジュール（１１０）又は前記第１のモジュールに装着された前記第１の要素（１２０）に加えられると、前記レシーバ体内で前記穴（１３１）の前記内壁面（１３２）の略全長と前記第１のモジュール（１１０）の前記外面（１１２）の略全長との間で接触面間で生成される摩擦とのみが、前記第１のモジュール（１１０）を前記レシーバ体内に固定して、前記第１のモジュール（１１０）が外れないように防止する役割を果たし、前記第１のモジュール（１１０）が前記磁気吸引だけでなく、前記第１のモジュール（１１０）上の前記第１の要素の荷重による前記穴（１３１）の前記内壁面（１３２）の略全長と前記第１のモジュール（１１０）の前記外面（１１２）の略全長との間の摩擦を克服するように、前記レシーバ体の前記穴（１３１）から直接真っ直ぐに引っ張り出すことができるときのみ取り外し可能である、コネクタ構造。
【請求項２】
第１の要素（２２０）と第２の要素（２４０）とを解放可能に連結する機械磁気コネクタ構造（２００）であって、
前記第１の要素（２２０）に装着されるドングル（２１０）と、
前記第２の要素（２４０）に装着され、前記ドングル（２１０）を収容する穴（２３１）を有するレシーバアセンブリ（２３０）と、
前記レシーバアセンブリ（２３０）に装着され、前記穴（２３１）内の前記ドングル（２１０）の解除又は係止のために開放位置と閉鎖位置との間で回転可能である回転ノブアセンブリ（２５０）と、
を備え、
前記回転ノブアセンブリ（２５０）が前記閉鎖位置まで回転すると、ユーザが前記穴（２３１）から取り外そうとして前記ドングル（２１０）に加える偏位した、斜めの、又は間接的な引張力によって前記ドングル（２１０）が外れないように前記ノブアセンブリ（２５０）の壁部（２３６）が前記ドングル（２１０）が前記穴（２３１）から外れるのを防止し、前記回転ノブアセンブリ（２５０）が前記開放位置まで回転されて、ユーザが前記磁石（２１５、２３５）間の引張力を超えて前記ドングル（２１０）を前記穴（２３１）から直接真っ直ぐに取り外すことができるときのみ、前記ドングル（２１０）が前記穴（２３１）の外へ回転可能である、コネクタ構造。
【請求項３】
第１の要素（１２０）と前記解放可能な第１の要素に対して固定される第２の要素（１４０）とを解放可能に連結する機械磁気コネクタ構造（１００）であって、
長さと、幅と、外面（１１２）とを有するドングル（１１０）であって、前記ドングル（１１０）の下端と前記第１の要素（１２０）に装着される上端との間で前記長さにほぼ沿って、装着された前記第１の要素（１２０）の重量の荷重下で延び、前記ドングル（１１０）の前記幅と外面（１１２）が、前記ドングル（１１０）の前記下端と前記ドングル（１１０）を前記第１の要素（１２０）に装着される前記上端との間で一定であり、前記ドングル（１１０）が第１の磁石（１１５）を含むドングル（１１０）と、
前記ドングル（１１０）を収容するように適合されたレシーバアセンブリ（１３０）であって、前記レシーバアセンブリ（１３０）が前記第２の要素（１４０）に装着され第２の磁石（１３５）を含み、前記レシーバアセンブリ（１３０）が細長本体部をさらに備え、前記本体部が前記本体部に垂直な前記レシーバアセンブリ（１３０）の固定面に固定され又は一体化され、前記固定垂直面が前記第１の要素と第２の要素（１２０、１４０）との間の前記コネクタ構造（１００）用の固定点として機能し、前記レシーバアセンブリ（１３０）の前記細長本体部が長さと、幅と、細長内側穴（１３１）とを有し、前記穴（１３１）が長さと、幅と、内壁面（１３２）とを有し、前記内壁面が前記ドングル（１１０）を収容するように適合されて、前記ドングル（１１０）の前記外面（１１２）の略全長が前記穴（１３１）の略全長内に補足されるレシーバアセンブリ（１３０）と、
を備え、
前記ドングル（１１０）が前記穴（１３１）に磁気吸引されると、前記第１および第２の磁石（１１５、１３５）が磁気吸引によって相互に近接して対向するように適合されることで、前記ドングル（１１０）の前記外面（１１２）の略全長と前記穴（１３１）の前記内壁面（１３２）の略全長との間で実質的な摩擦が生成されて、前記ドングル（１１０）が前記穴（１３１）から外れるのを防止し、前記摩擦が前記ドングル（１１０）に加えられる前記第１の要素（１２０）の重量によって生成され、斜め又は垂直の引張力が前記ドングル（１１０）又は前記ドングルに装着される前記第１の要素（１２０）に加えられると、前記ドングル（１１０）の外面（１１２）と穴（１３１）の内壁面の略全長間に前記ドングル（１１０）が前記穴（１３１）から外れるのを防止する追加の摩擦が生成され、前記ドングル（１１０）を前記穴（１３１）から直接真っ直ぐに取り外すように加えられる引張力のみが、前記ドングル（１１０）を前記穴（１３１）から分離させることができる、コネクタ構造。
【請求項４】
前記第１の磁石（１１５、１３５）と第２の磁石（２１５、２３５）がそれぞれ、５（５）ポンド未満の範囲の引張力を発揮することをさらに特徴とする、請求項１〜３のいずれか１項に記載のコネクタ構造（１００、２００）。
【請求項５】
前記第１の要素（１２０、２２０）が電子装置であり、前記第２の要素（１４０、２４０）が面状構造であることをさらに特徴とする、請求項１〜３のいずれか１項に記載のコネクタ構造（１００、２００）。
【請求項６】
前記第１の要素（１２０、２２０）がゴルフ付属品であり、前記第２の要素（１４０、２４０）がゴルフバッグに装着するように適合されたクリップであることをさらに特徴とする、請求項１〜３のいずれか１項に記載のコネクタ構造（１００、２００）。
【請求項７】
前記２つの対向磁石（１１５、２１５及び１３５、２３５）の面が前記対応する穴（１３１、２３１）内で相互に接触するように構成され、若しくは前記対応する穴（１３１、２３１）内の前記第１の磁石（１１５、２１５）と対向する第２の磁石（１３５、２３５）との両面間に間隙（１３３、２６３）又は幅が存在することをさらに特徴とする、請求項１〜３のいずれか１項に記載のコネクタ構造（１００、２００）。
【請求項８】
前記第１のモジュール（１１０）又はドングル（１１０、２１０）が荷重された第１の要素（１２０、２２０）に装着されたときの係止及び固定を維持しつつ、前記第２のモジュール（１３０）又はレシーバアセンブリ（１３０、２３０）の前記穴（１３１、２３１）内での前記第１のモジュール（１１０）又はドングル（１１０、２１０）を連接移動を可能にする動的係止機構をさらに備える、請求項１〜３のいずれか１項に記載のコネクタ構造（１００、２００）。
【請求項９】
前記回転ノブアセンブリ（２５０）が、前記閉鎖位置まで回転可能であるように適合された外側リング（２５１）を含み、前記外側リング（２５１）が、前記ドングル（２１０）が前記レシーバアセンブリ（２３０）から外れるのを防止するため前記穴（２３１）を封鎖する前記壁部（２３６）を含むことをさらに特徴とする、請求項２に記載のコネクタ構造（２００）。
【請求項１０】
前記ドングル（２１０）を前記レシーバアセンブリ（２３０）の前記穴（２３１）から取り外すことができるように、前記外側リング（２５１）が前記開放位置まで回転可能である、請求項２に記載のコネクタ構造（２００）。